(57)【要約】【課題】開くように変形した軒樋であっても、変形前の形状に近づけて保持することができる軒樋継手を提供する。【解決手段】樋底板１１と、樋底板の幅方向Ｙの第１端から立ち上がる第１樋側板１２と、樋底板の幅方向の第２端から立ち上がる第２樋側板１３と、を備える軒樋１０を一対、互いに軸方向Ｘに対向させた状態で連結する軒樋継手３０であって、一対の軒樋両方の樋底板の下方に配置される連結底板３１と、連結底板の幅方向の第１端から立ち上がり、一対の軒樋両方の第１樋側板を幅方向の外側から覆う第１連結側板３２と、連結底板の幅方向の第２端から立ち上がり、一対の軒樋両方の第２樋側板を幅方向の外側から覆う第２連結側板３３と、第１連結側板及び第２連結側板にそれぞれ連結された連結部材３４と、を備える。【選択図】図１
2020117987.tif 000002
【特許請求の範囲】
【請求項１】
樋底板と、前記樋底板の幅方向の第１端から立ち上がる第１樋側板と、前記樋底板の前記幅方向の第２端から立ち上がる第２樋側板と、を備える軒樋を一対、互いに軸方向に対向させた状態で連結する軒樋継手であって、
前記一対の軒樋両方の前記樋底板の下方に配置される連結底板と、
前記連結底板の前記幅方向の第１端から立ち上がり、前記一対の軒樋両方の前記第１樋側板を前記幅方向の外側から覆う第１連結側板と、
前記連結底板の前記幅方向の第２端から立ち上がり、前記一対の軒樋両方の前記第２樋側板を前記幅方向の外側から覆う第２連結側板と、
前記第１連結側板及び前記第２連結側板にそれぞれ連結された連結部材と、
を備える軒樋継手。
【請求項２】
前記連結部材は、前記連結底板、前記第１連結側板、及び前記第２連結側板のそれぞれの前記軸方向の中央部に配置されている請求項１に記載の軒樋継手。
【請求項３】
前記第１連結側板の上端は、前記第２連結側板の上端よりも上方に配置され、
前記連結部材は、前記第１連結側板の上端部に連結されている請求項１又は２に記載の軒樋継手。
【請求項４】
前記連結部材は、
前記第２連結側板から前記連結底板に沿って延びる第１連結片と、
前記第１連結片の先端から上方に向かって延び、前記第１連結側板の上端部に連結された第２連結片と、を備えている請求項３に記載の軒樋継手。
【請求項５】
前記第１連結側板と前記連結部材との間には隙間が形成されている請求項１から４のいずれか一項に記載の軒樋継手。
【請求項６】
前記第１連結側板は、
前記連結底板の前記幅方向の前記第１端から立ち上がる第１側壁部と、
前記第１側壁部の上端から前記幅方向の外側に向かって延びる平板部と、
前記平板部の先端から立ち上がる第２側壁部と、
を備え、
前記隙間は、前記第２側壁部と前記連結部材との間に形成され、
前記連結部材は、前記平板部に連結されている請求項５に記載の軒樋継手。
【請求項７】
前記連結底板よりも上方であって、前記第１連結側板と前記第２連結側板との間に配置され、前記連結底板、前記第１連結側板、及び前記第２連結側板の少なくとも１つとともに前記一対の軒樋を挟む保持部を備える請求項１から６のいずれか一項に記載の軒樋継手。
【発明の詳細な説明】
【技術分野】
【０００１】
本発明は、軒樋同士を連結する軒樋継手に関する。
【背景技術】
【０００２】
従来、樋底板の両端から樋側板が立ち上がるように構成された軒樋が知られている（例えば、特許文献１参照）。一対の軒樋は、軒樋の軸方向に並べられた状態で、軒樋継手により連結される。
【先行技術文献】
【特許文献】
【０００３】
【特許文献１】実開昭５４−１６５８２０号公報
【発明の概要】
【発明が解決しようとする課題】
【０００４】
軒樋は、例えばトラックの荷台上等で施工現場まで運搬される。トラックの荷台は、夏季の昼間等には予期せぬ程高温になり、軒樋の一対の樋側板が幅方向に開くように変形することがある。
【０００５】
本発明は、このような問題点に鑑みてなされたものであって、開くように変形した軒樋であっても、変形前の形状に近づけて保持することができる軒樋継手を提供することを目的とする。
【課題を解決するための手段】
【０００６】
上記課題を解決するために、この発明は以下の手段を提案している。
本発明の軒樋継手は、樋底板と、前記樋底板の幅方向の第１端から立ち上がる第１樋側板と、前記樋底板の前記幅方向の第２端から立ち上がる第２樋側板と、を備える軒樋を一対、互いに軸方向に対向させた状態で連結する軒樋継手であって、前記一対の軒樋両方の前記樋底板の下方に配置される連結底板と、前記連結底板の前記幅方向の第１端から立ち上がり、前記一対の軒樋両方の前記第１樋側板を前記幅方向の外側から覆う第１連結側板と、前記連結底板の前記幅方向の第２端から立ち上がり、前記一対の軒樋両方の前記第２樋側板を前記幅方向の外側から覆う第２連結側板と、前記第１連結側板及び前記第２連結側板にそれぞれ連結された連結部材と、を備えることを特徴としている。
【０００７】
この発明によれば、軒樋継手の連結底板、第１連結側板、及び第２連結側板が、一対の軒樋両方の樋底板、第１樋側板、及び第２樋側板を外側から囲う。この際に、第１連結側板及び第２連結側板には連結部材がそれぞれ連結されているため、第１連結側板及び第２連結側板が幅方向に開くのが抑えられる。
従って、開くように変形した軒樋であっても、連結部材で連結された第１連結側板及び第２連結側板で軒樋の第１樋側板及び第２樋側板を幅方向に挟むことにより、軒樋を変形前の形状に近づけて保持することができる。
【０００８】
また、上記の軒樋継手において、前記連結部材は、前記連結底板、前記第１連結側板、及び前記第２連結側板のそれぞれの前記軸方向の中央部に配置されていてもよい。
この発明によれば、軒樋継手の軸方向の両端部に一対の軒樋を略対称に連結することができる。
【０００９】
また、上記の軒樋継手において、前記第１連結側板の上端は、前記第２連結側板の上端よりも上方に配置され、前記連結部材は、前記第１連結側板の上端部に連結されていてもよい。
軒樋が幅方向に開くように変形したときに、例えば両連結側板が下端周りに回転したときには、第１連結側板の上端部の変形量は、軒樋継手における他の部分に比べて比較的多くなる。連結部材は第１連結側板の上端部に連結されているため、第１連結側板の上端部が幅方向に開くように変形するのを効果的に抑えることができる。
【００１０】
また、上記の軒樋継手において、前記連結部材は、前記第２連結側板から前記連結底板に沿って延びる第１連結片と、前記第１連結片の先端から上方に向かって延び、前記第１連結側板の上端部に連結された第２連結片と、を備えていてもよい。
一般的に、軒樋継手の第１連結側板は、軒樋継手が施工される建築物等の外側となるように配置される。この発明によれば、例えば軒樋継手が建築物等に施工されたときに、第１連結片の上方に配置された他の部材が第１連結片に干渉するのを抑えることができる。
【００１１】
また、上記の軒樋継手において、前記第１連結側板と前記連結部材との間には隙間が形成されていてもよい。
この発明によれば、例えば、軒樋継手が射出成形により形成された場合に、第１連結側板における隙間に対向する部分の外面にヒケが生じるのを抑え、第１連結側板の外観を向上させることができる。
【００１２】
また、上記の軒樋継手において、前記第１連結側板は、前記連結底板の前記幅方向の前記第１端から立ち上がる第１側壁部と、前記第１側壁部の上端から前記幅方向の外側に向かって延びる平板部と、前記平板部の先端から立ち上がる第２側壁部と、を備え、前記隙間は、前記第２側壁部と前記連結部材との間に形成され、前記連結部材は、前記平板部に連結されていてもよい。
この発明によれば、軒樋継手の捻じれ等に対する強度を高めることができる。さらに、平板部は正面からは見え難いため、平板部の外面にヒケが生じても、軒樋継手の正面からの外観を維持することができる。
【００１３】
また、上記の軒樋継手において、前記連結底板よりも上方であって、前記第１連結側板と前記第２連結側板との間に配置され、前記連結底板、前記第１連結側板、及び前記第２連結側板の少なくとも１つとともに前記一対の軒樋を挟む保持部を備えてもよい。
この発明によれば、連結底板、第１連結側板、及び第２連結側板の少なくとも１つと、保持部とにより、一対の軒樋を挟むように確実に保持することができる。また、軒樋を挟むように保持するため、軒樋の一対の樋側板が幅方向に閉じるように変形した場合であっても、軒樋を変形前の形状に近づけて保持することができる。
【発明の効果】
【００１４】
本発明の軒樋継手によれば、開くように変形した軒樋であっても、変形前の形状に近づけて保持することができる。
【図面の簡単な説明】
【００１５】
【図１】本発明の一実施形態の軒樋継手が用いられる樋構造の縦断面図である。
【図２】同樋構造の一部を破断した平面図である。
【図３】同樋構造の軒樋の縦断面図である。
【図４】同軒樋継手の斜視図である。
【図５】同軒樋継手の側面図である。
【図６】同軒樋継手の平面図である。
【図７】図１中の切断線Ａ１−Ａ１の断面図である。
【図８】同樋構造を建築物に施工した状態を模式的に示す平面図である。
【図９】同樋構造を建築物に施工する手順を模式的に示す平面図である。
【図１０】建築物の樋構造を修理する手順を模式的に示す平面図である。
【図１１】建築物の樋構造を修理する手順を模式的に示す平面図である。
【発明を実施するための形態】
【００１６】
以下、本発明に係る軒樋継手の一実施形態が用いられる樋構造を、図１から図１１を参照しながら説明する。
図１及び図２に示すように、樋構造１は、軒樋１０と、本実施形態の軒樋継手３０と、軒樋支持具８０と、を備えている。
図３に示すように、軒樋１０は、樋底板１１と、第１樋側板１２と、第２樋側板１３と、を備えている。
樋底板１１は、厚さ方向が上下方向を向く平板状に形成されている。樋底板１１は、平面視で軒樋１０の軸方向（軸線方向）Ｘに長い矩形状を呈している。
第１樋側板１２は、樋底板１１の幅方向Ｙの第１端から立ち上がっている。幅方向Ｙは、樋底板１１の短辺に沿う方向である。言い換えれば、幅方向Ｙは、水平面に沿う方向のうち、軸方向Ｘに直交する方向である。第２樋側板１３は、樋底板１１の幅方向Ｙの第２端から立ち上がっている。軒樋１０は、軸方向Ｘに見たときに樋側板１２，１３が上方に拡開しつつ上方が開口するＵ字状に形成されている。第１樋側板１２の上端は、第２樋側板１３の上端よりも上方に配置されている。
【００１７】
第１樋側板１２は、下方から上方に向かって延びる中途部分に、上部を外側に拡幅する段部１２ａが形成されている。これにより、第１樋側板１２に段部１２ａが形成されていない場合に比べて、第１樋側板１２の強度が向上する。なお、第１樋側板１２に段部１２ａは形成されなくてもよい。
第２樋側板１３は、下方から上方に向かって平板状に延びている。
第１樋側板１２の上端部には、軒樋支持具８０の先端部に嵌合する前方耳部１６が形成されている。前方耳部１６は、軒樋支持具８０の先端部に係止する上方凸条１７と、軒樋支持具８０の先端部を下方から受ける下方凸条１８と、を備えている。凸条１７，１８は、上下方向に互いに間隔を空けて並べて配置されている。凸条１７，１８は、第１樋側板１２から、幅方向Ｙのうち軒樋１０の内側に向かって突出している。前方耳部１６は、軸方向Ｘに見たときにＣ字状に形成されている。
【００１８】
上方凸条１７の下部には、軒樋支持具８０の先端部に係止する凹部１７ａが形成されている。凹部１７ａは、凸条１７のうち幅方向Ｙの外側の部分から上方に向かって凹んでいる。上方凸条１７のうち凹部１７ａよりも幅方向Ｙの内側の部分には、第１係止部１７ｂが形成されている。第１係止部１７ｂは、凹部１７ａよりも下方に向かって突出している。上方凸条１７内には、中空部１７ｃが形成されている。
下方凸条１８内には、中空部１８ａが形成されている。
凸条１７，１８に中空部１７ｃ，１８ａが形成されているため、凸条１７，１８は容易に変形できる。
第１樋側板１２の上端部における上方凸条１７に対応する位置には、第２係止部１９が形成されている。第２係止部１９は、幅方向Ｙのうち軒樋１０の外側に向かって突出している。
【００１９】
第２樋側板１３の上端部には、軒樋支持具８０の後端部に嵌合する後方耳部２０が形成されている。後方耳部２０は、第２樋側板１３から、幅方向Ｙのうち軒樋１０の内側に向かって突出している。
後方耳部２０内には、中空部２０ａが形成されている。中空部２０ａが形成されているため、後方耳部２０は容易に変形できる。
軒樋１０が備える樋底板１１、第１樋側板１２、及び第２樋側板１３等は、弾性を有する樹脂材料を用いた押出し成形等により、一体に形成されている。
【００２０】
図２に示すように、軒樋継手３０により連結される一対の軒樋１０は、互いに軸方向Ｘに対向した状態に配置される。
一対の軒樋１０の第１樋側板１２は、互いに軸方向Ｘに対向するように配置される。一対の軒樋１０の第２樋側板１３は、互いに軸方向Ｘに対向するように配置される。
【００２１】
図４から図６に示すように、軒樋継手３０は、連結底板３１と、第１連結側板３２と、第２連結側板３３と、連結部材３４と、保持部３５と、を備えている。
連結底板３１は、厚さ方向が上下方向を向く平板状に形成されている。第１連結側板３２は、連結底板３１の幅方向Ｙの第１端から上方に向かって立ち上がっている。第２連結側板３３は、連結底板３１の幅方向Ｙの第２端から上方に向かって立ち上がっている。軒樋継手３０は、軸方向Ｘに見たときに連結側板３２，３３が上方に拡開しつつ上方が開口するＵ字状に形成されている。第１連結側板３２の上端は、第２連結側板３３の上端よりも上方に配置されている。
【００２２】
第１連結側板３２及び第２連結側板３３は、連結底板３１の軸方向Ｘの全長にわたってそれぞれ形成されている。
第１連結側板３２は、第１側壁部３８と、平板部３９と、第２側壁部４０と、を備えている。すなわち、第１連結側板３２には、第１樋側板１２の段部１２ａに対応する段部３２ａが形成されている。
第１側壁部３８は、連結底板３１の幅方向Ｙの第１端から上方に向かって立ち上がっている。平板部３９は、第１側壁部３８の上端から幅方向Ｙの外側に向かって延びている。第２側壁部４０は、平板部３９の先端から上方に向かって立ち上がっている。
第２側壁部４０の上端部には、前方係合部４２が設けられている。前方係合部４２は、平板片４４と、側壁片４５と、第１係止片４６と、第２係止片４７と、第３係止片４８と、第１垂下片４９と、を備えている。
【００２３】
平板片４４は、第２側壁部４０の上端から幅方向Ｙの外側に向かって突出している。側壁片４５は、平板片４４の先端から上方に向かって突出している。第１係止片４６は、側壁片４５の上端から、上方に向かうに従い幅方向Ｙの内側に向かうように傾斜して延びている。
平板片４４、側壁片４５、及び第１係止片４６により、軒樋１０の第２係止部１９に係止する凹部５１が形成される。
【００２４】
第２係止片４７は、及び第１係止片４６の上端から、下方に向かうに従い幅方向Ｙの内側に向かうように突出している。平板片４４、側壁片４５と、第１係止片４６、及び第２係止片４７は、連結底板３１の幅方向Ｙの全長にわたってそれぞれ形成されている。
第３係止片４８は、第２係止片４７の下端から、下方に向かうに従い幅方向Ｙの内側に向かうように突出している。第１垂下片４９は、第３係止片４８の下端から下方に向かって突出している。第１垂下片４９の下端は、上下方向において第１係止片４６の中央部に達している。第１垂下片４９の幅方向Ｙの位置、及び第１側壁部３８の幅方向Ｙの位置は、互いに同等である。第３係止片４８及び第１垂下片４９は、第２係止片４７の幅方向Ｙの中央部にそれぞれ形成されている。
【００２５】
第２連結側板３３の上端部には、後方係合部５４が設けられている。後方係合部５４は、第４係止片５５と、第２垂下片５６と、を備えている。
第４係止片５５は、第２連結側板３３の上端から幅方向Ｙの内側に向かって延びている。第２垂下片５６は、第４係止片５５の先端から下方に向かって突出している。第４係止片５５及び第２垂下片５６は、第２連結側板３３の軸方向Ｘの中央部にそれぞれ形成されている。係止片５５及び第２垂下片５６の軸方向Ｘの各端は、第３係止片４８及び第１垂下片４９の軸方向Ｘの各端と同等の位置まで延びている。
【００２６】
連結部材３４は、第１連結側板３２及び第２連結側板３３にそれぞれ連結されている。連結部材３４は、連結底板３１、第１連結側板３２、及び第２連結側板３３のそれぞれの軸方向Ｘの中央部に配置されている。連結部材３４は、第１連結片６０と、第２連結片６１と、を備えている。
第１連結片６０及び第２連結片６１は、厚さ方向が軸方向Ｘを向く平板状に形成されている。第１連結片６０の軸方向Ｘの長さ、及び第２連結片６１の軸方向Ｘの長さは、互いに同等である。
この例では、第１連結片６０を軸方向Ｘに見たときに、第１連結片６０は幅方向Ｙに長い矩形状を呈している。第１連結片６０は、第２連結側板３３の上方の部分から連結底板３１に沿って延びている。第１連結片６０は、連結底板３１から上方に離間している。第１連結片６０の下端部には、第１補強リブ６３が設けられている。第１補強リブ６３は、第１連結片６０の下端に沿って幅方向Ｙに延びている。第１補強リブ６３は、第１連結片６０を軸方向Ｘに挟んで両側に設けられている。
【００２７】
この例では、第２連結片６１を軸方向Ｘに見たときに、第２連結片６１は上下方向に長い矩形状を呈している。第２連結片６１は、第１連結片６０の先端部から上方に向かって延び、第１連結側板３２の第２側壁部４０の上端部及び前方係合部４２に連結されている。第２連結片６１の軸方向Ｘの中心、及び第１連結片６０の中心は、互いに一致している。
第１連結側板３２の第２側壁部４０と連結部材３４の第２連結片６１との間には第１隙間（隙間）Ｓ１が形成されている（図２も参照）。第１隙間Ｓ１は、第２側壁部４０に沿って延びている。連結部材３４は、保持部３５を介して平板部３９に連結されている。
【００２８】
保持部３５は、連結底板３１よりも上方であって、第１連結側板３２と第２連結側板３３との間に配置されている。保持部３５は、軸方向Ｘにおける連結部材３４が配置された位置を挟んで、軸方向Ｘの両側にそれぞれ配置されている。
保持部３５は、第１底板保持片６６と、第２底板保持片６７と、第１側壁保持片６８と、平板保持片６９と、第２側壁保持片７０と、第３側壁保持片７１と、を備えている。
第１底板保持片６６及び第２底板保持片６７は、連結底板３１の上方にそれぞれ配置されている。第１底板保持片６６及び第２底板保持片６７と連結底板３１との上下方向の距離、及び軒樋１０の樋底板１１の厚さ（上下方向の長さ）は、互いに同等である。第１底板保持片６６及び第２底板保持片６７は、幅方向Ｙに互いに離間している。
第１底板保持片６６及び第２底板保持片６７と連結底板３１とは、線状部材７４により連結されている（図７も参照）。線状部材７４の軸方向Ｘの長さ、及び第１連結片６０の軸方向Ｘの長さは、互いに同等である。線状部材７４は、軸方向Ｘにおいて第１連結片６０と同等の位置に配置されている。
【００２９】
第１側壁保持片６８は、第１底板保持片６６の幅方向Ｙの外側の端から第１側壁部３８に沿って上方に向かって立ち上がっている。第１側壁保持片６８と第１側壁部３８との距離、及び軒樋１０の第１樋側板１２の厚さは、互いに同等である。第１側壁保持片６８と第１側壁部３８との間には、第２隙間Ｓ２が形成されている。
平板保持片６９は、第１側壁保持片６８の上端から平板部３９に沿って幅方向Ｙの外側に向かって延びている。平板保持片６９と平板部３９との距離、及び軒樋１０の第１樋側板１２の厚さは、互いに同等である。
第２側壁保持片７０は、平板保持片６９の幅方向Ｙの外側の端から第２側壁部４０に沿って上方に向かって立ち上がっている。第２側壁保持片７０の上端は、第１連結片６０の上端、及び第２側壁部４０の上下方向の中間部まで延びている。第２側壁保持片７０と第２側壁部４０との間に、前記第１隙間Ｓ１が形成されている。第２側壁保持片７０と第２側壁部４０との距離、及び軒樋１０の第１樋側板１２の厚さは、互いに同等である。
【００３０】
第３側壁保持片７１は、第２底板保持片６７の幅方向Ｙの外側の端から第２連結側板３３に沿って上方に向かって立ち上がっている。第３側壁保持片７１は、第１連結片６０の下端部まで延びている。第３側壁保持片７１と第２連結側板３３との距離、及び軒樋１０の第２樋側板１３の厚さは、互いに同等である。保持部３５の軸方向Ｘの各端は、第３係止片４８及び第１垂下片４９の軸方向Ｘの各端と同等の位置まで延びている。保持部３５の軸方向Ｘの各端は、連結底板３１の軸方向Ｘの各端には達していない。
第１側壁保持片６８、平板保持片６９、第２側壁保持片７０、及び第３側壁保持片７１は、連結底板３１、第１連結側板３２、及び第２連結側板３３と、線状部材７４により連結されている。
保持部３５が線状部材７４から軸方向Ｘの両側にそれぞれ延びる長さは、１０ｍｍ以上であることが好ましい。
【００３１】
このように構成された軒樋継手３０は、例えば射出成形により一体に形成されている。
【００３２】
図１及び図２に示すように、軒樋継手３０の連結底板３１は、一対の軒樋１０両方の樋底板１１の端部の下方に配置されている。軒樋継手３０の第１連結側板３２は、一対の軒樋１０両方の第１樋側板１２の端部を幅方向Ｙの外側から覆っている。軒樋継手３０の第２連結側板３３は、一対の軒樋１０両方の第２樋側板１３の端部を幅方向Ｙの外側から覆っている。
このように、保持部３５を構成する第１底板保持片６６、第２底板保持片６７、第１側壁保持片６８、平板保持片６９、第２側壁保持片７０、及び第３側壁保持片７１は、連結底板３１、第１連結側板３２、及び第２連結側板３３とともに一対の軒樋１０を挟んでいる。
なお、保持部３５の構成はこれに限られず、保持部３５は第１底板保持片６６、第２底板保持片６７、第１側壁保持片６８、平板保持片６９、第２側壁保持片７０、及び第３側壁保持片７１の少なくとも１つを備えていればよい。
【００３３】
軒樋支持具８０の構成は、特に限定されない。図１に示すように、軒樋支持具８０は、建築物９０の軒先９１の鼻隠し板９２に固定されている。この例では、軒樋支持具８０の先端部には、フック状の第１係合部８１が形成されている。第１係合部８１は、軒樋１０の前方耳部１６の上方凸条１７と下方凸条１８との間に配置された状態で、第１係止部１７ｂに幅方向Ｙに係止する。
軒樋支持具８０の基端側の部分の下方側には、凹部形状の第２係合部８２が形成されている。第２係合部８２は、軒樋１０の後方耳部２０に係止している。
軒樋支持具８０の基端には、軒樋支持具８０の基端部から下方に向かって延びる固定部８３が形成されている。固定部８３は、ネジ等の固定部材（不図示）で鼻隠し板９２に固定されている。
軒樋支持具８０は、樹脂等の弾性変形可能な材料で形成されている。軒樋支持具８０の基端部は、二点鎖線Ｌ０で示すように弾性的に変形させることができる。これにより、軒樋１０が鼻隠し板９２に近づくように、軒樋１０を移動させることができる。
【００３４】
以上のように構成された樋構造１が施工される建築物９０が、例えば図８に示すように、切妻屋根を用いて平面視で下方が開口したＵ字状に形成されているとする。すなわち、建築物９０は、所定の方向に延びる主棟９６と、主棟９６に直交する互いに同じ向きに延びる第１連結棟９７及び第２連結棟９８と、を備えている。第１連結棟９７及び第２連結棟９８は、主棟９６が延びる方向に互いに間隔を空けて配置されている。
【００３５】
建築物９０に新たに樋構造１を施工する場合には、従来の施工方法と同様に、軒樋１０の軸方向に沿って順に樋構造１を施工すればよい。なお、互いに連結される一対の軒樋１０が延びる方向を変えるには、公知の継手である曲り８５が用いられる。
なお、新たに樋構造１を施工する場合であっても、連結棟９７，９８に挟まれた位置の軒樋継手３０（以下、軒樋継手３０Ａとも言う）を施工する場合には、以下の工程を行う。なお、以下では、軒樋継手３０Ａにより曲り８５を介さずに連結される軒樋１０を、軒樋１０Ａと言い、軒樋継手３０Ａにより曲り８５を介してに連結される軒樋１０を、軒樋１０Ｂと言う。
図８に示す一対の軒樋１０Ａの間には、軒樋継手３０Ａの連結部材３４の軸方向の長さ程度の隙間しか形成されていない。
【００３６】
図６に二点鎖線Ｌ１で示す一対の軒樋１０Ａの端部における範囲Ｒ１に、接着剤をそれぞれ塗布する。接着剤は、軒樋１０Ａの外側の外面に塗布する。
図９に示すように、軒樋継手３０Ａを取付ける前に、予め軒樋１０Ｂ及び軒樋支持具８０を弾性的に変形させたりすること等により、一対の軒樋１０Ａの間の隙間を、軒樋継手３０Ａの一対の保持部３５全体の軸方向Ｘの長さ以上まで広げる。
軒樋継手３０Ａにより連結される一対の軒樋１０Ａの端部を、図５に二点鎖線Ｌ２で示すように弾性的に変形させる。具体的には、第１樋側板１２の上端と、第２樋側板１３の上端との幅方向Ｙの長さが、軒樋継手３０Ａの第２係止片４７と第２連結側板３３との幅方向Ｙの長さ以下になるように、軒樋１０Ａを変形させる。
図６に二点鎖線Ｌ２で示すように、変形させた一対の軒樋１０Ａの下方から軒樋継手３０Ａを取付ける。このとき、一対の軒樋１０Ａの間の隙間が一対の保持部３５全体の軸方向Ｘの長さ以上あるため、一対の保持部３５が一対の軒樋１０Ａの間を通る。変形させた一対の軒樋１０Ａと、軒樋継手３０Ａの連結底板３１、第１連結側板３２、及び第２連結側板３３とが、接着剤により接続される。
【００３７】
弾性的に変形していた軒樋１０Ｂ及び軒樋支持具８０を元の形状に復元させること等により、連結底板３１、第１連結側板３２、及び第２連結側板３３と保持部３５との間に一対の軒樋１０Ａの端部を挿入する。軒樋１０Ａに塗布された接着剤は、連結底板３１、第１連結側板３２、及び第２連結側板３３と保持部３５との間に入り込む。このとき、軒樋１０Ａを線状部材７４に突き当て、一対の軒樋１０Ａの間の隙間を、軒樋継手３０Ａの連結部材３４の軸方向Ｘの長さ程度にする。
接着剤が硬化すると、一対の軒樋１０Ａが軒樋継手３０Ａにより連結される。
【００３８】
一方で、樋構造１を修理する場合には、例えば以下の工程を行う。例えば、図１０に示すように、軒樋継手３０Ａの近傍の軒樋１０Ａに損傷部Ｄ１が形成され、軒樋１０Ａのうち損傷部Ｄ１が形成された部分を交換する場合について説明する。
各軒樋１０Ａに切断部Ｄ２を形成して、各軒樋１０Ａを切断する。このとき、軒樋１０Ａのうち軒樋継手３０Ａ側の部分となる軒樋１０Ｃに損傷部Ｄ１が形成されるとともに、一対の軒樋１０Ｃが軒樋継手３０Ａに連結されるように、切断部Ｄ２を形成する。
図１１に示すように、軒樋継手３０Ａ及び一対の軒樋１０Ｃを取外し、所定の長さに切断した軒樋１０及び軒樋継手３０により、軒樋１０Ａのうち軒樋継手３０Ａとは反対側の部分となる軒樋１０Ｄを連結する。
【００３９】
以上説明したように、本実施形態の軒樋継手３０によれば、連結底板３１、第１連結側板３２、及び第２連結側板３３が、一対の軒樋１０両方の樋底板１１、第１樋側板１２、及び第２樋側板１３を外側から囲う。この際に、第１連結側板３２及び第２連結側板３３には連結部材３４がそれぞれ連結されているため、第１連結側板３２及び第２連結側板３３が幅方向Ｙに開くのが抑えられる。
従って、開くように変形した軒樋１０であっても、連結部材３４で連結された第１連結側板３２及び第２連結側板３３で軒樋１０の第１樋側板１２及び第２樋側板１３を幅方向Ｙに挟むことにより、軒樋１０を変形前の形状に近づけて保持することができる。
【００４０】
連結部材３４は、連結底板３１、第１連結側板３２、及び第２連結側板３３のそれぞれの軸方向Ｘの中央部に配置されている。これにより、軒樋継手３０の軸方向Ｘの両端部に一対の軒樋１０を略対称に連結することができる。
第１連結側板３２の上端は第２連結側板３３の上端よりも上方に配置され、連結部材３４は第１連結側板３２の上端部に連結されている。軒樋１０が幅方向Ｙに開くように変形したときに、例えば連結側板３２，３３が下端周りに回転したときには、第１連結側板３２の上端部の変形量は、軒樋継手３０における他の部分に比べて比較的多くなる。連結部材３４は第１連結側板３２の上端部に連結されているため、第１連結側板３２の上端部が幅方向Ｙに開くように変形するのを効果的に抑えることができる。
【００４１】
一般的に、軒樋継手３０の第１連結側板３２は、軒樋継手３０が施工される建築物等の外側となるように配置される。連結部材３４の第１連結片６０が第２連結側板３３から連結底板３１に沿って延びることで、軒樋継手３０が建築物９０に施工されたときに、第１連結片６０の上方に配置された軒先９１等の他の部材が第１連結片６０に干渉するのを抑えることができる。
第１連結側板３２と連結部材３４との間には、第１隙間Ｓ１が形成されている。軒樋継手３０は射出成形により形成されているため、第１連結側板３２における第１隙間Ｓ１に対向する部分の外面にヒケが生じるのを抑え、第１連結側板３２の外観を向上させることができる。
【００４２】
第１隙間Ｓ１は第２側壁部４０と連結部材３４との間に形成され、連結部材３４は平板部３９に連結されている。従って、軒樋継手３０の捻じれ等に対する強度を高めることができる。さらに、平板部３９は正面（第１連結側板３２に対向する外側）からは見え難いため、平板部３９の外面にヒケが生じても、軒樋継手３０の正面からの外観を維持することができる。
軒樋継手３０は、保持部３５を備えている。これにより、連結底板３１、第１連結側板３２、及び第２連結側板３３の少なくとも１つと、保持部３５とにより、一対の軒樋１０を挟むように確実に保持することができる。また、連結底板３１、第１連結側板３２、及び第２連結側板３３と保持部３５とにより軒樋１０を挟むように保持するため、軒樋１０の樋側板１２，１３が幅方向Ｙに閉じるように変形した場合であっても、軒樋１０を変形前の形状に近づけて保持することができる。
【００４３】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、第１連結側板３２に段部３２ａが形成されなくてもよい。
軒樋継手３０は、保持部３５を備えなくてもよい。軒樋継手３０に第１隙間Ｓ１及び第２隙間Ｓ２が形成されなくてもよい。
【符号の説明】
【００４４】
１０  軒樋
１１  樋底板
１２  第１樋側板
１３  第２樋側板
３０  軒樋継手
３１  連結底板
３２  第１連結側板
３３  第２連結側板
３４  連結部材
３５  保持部
３８  第１側壁部
３９  第１平板部（平板部）
４０  第２側壁部
６０  第１連結片
６１  第２連結片
Ｓ１  第１隙間（隙間）
Ｘ    軸方向
Ｙ    幅方向
【図１】
2020117987.tif 000003
【図２】
2020117987.tif 000004
【図３】
2020117987.tif 000005
【図４】
2020117987.tif 000006
【図５】
2020117987.tif 000007
【図６】
2020117987.tif 000008
【図７】
2020117987.tif 000009
【図８】
2020117987.tif 000010
【図９】
2020117987.tif 000011
【図１０】
2020117987.tif 000012
【図１１】
2020117987.tif 000013